(57)【特許請求の範囲】
【請求項１】
複数の入力回線および複数の出力回線に接続される、同報通信の可能なＡＴＭ交換機であって、
複数の入力ポートおよび複数の出力ポートを有し、前記入力ポートに送られたセルに設定された装置内ヘッダに基づいて、前記セルを前記出力ポートより送出し、同報されるセルについては、前記セルを複数の前記出力ポートより送出するスイッチ部と、
変換テーブルを有し、送られたセルに設定された論理チャネル情報に対応する前記変換テーブルの設定内容に従って、前記セルに対し、論理チャネル情報の変換と、装置内ヘッダの付加を行い、変換および付加を行ったセルを、１対１に対応付けられた前記スイッチ部の入力ポートに送るＭ個以上の入力回線対応部と、
１対１に対応付けられた前記スイッチ部の出力ポートより送られたセルに対して、前記装置内ヘッダの除去を含む所定の送信処理を施すＭ個以上の出力回線対応部とを備え、
Ｎ個（Ｎは、２≦Ｎ＜Ｍを満たす整数）の前記出力回線対応部は、１対１に対応付けられたＮ個の前記入力回線対応部に前記送信処理を施したセルを送り、
他の出力回線対応部は、前記送信処理を施したセルを前記出力回線に送り、
他の入力回線対応部には、前記入力回線よりセルが送られることを特徴とするＡＴＭ交換機。
【請求項２】
請求項１記載のＡＴＭ交換機であって、
前記入力回線より前記入力回線対応部に送られた、所定の論理チャネル情報の設定されたセルは、前記変換テーブルの設定に応じて、前記Ｎ個の出力回線対応部に送られた後、前記Ｎ個の入力回線対応部により、互いに異なる論理チャネル情報を設定された複数のセルとなって前記出力回線に送られることを特徴とするＡＴＭ交換機。
【請求項３】
請求項２記載のＡＴＭ交換機であって、
前記変換テーブルの設定に応じて、前記Ｎ個の入力回線対応部により互いに異なる論理チャネル情報を設定された複数のセルの各々が、再び前記Ｎ個の出力回線対応部に送られることで、前記所定の論理チャネル情報の設定されたセルは、互いに異なる論理チャネル情報を設定された、より多数のセルとなって前記出力回線に送られることを特徴とするＡＴＭ交換機。
【請求項４】
請求項１、２または３記載のＡＴＭ交換機であって、
前記Ｎ個の出力回線対応部が送出するセルは、ＡＴＭ交換機の出力側から入力側に折り返された配線により、前記Ｎ個の入力回線対応部に伝送されることを特徴とするＡＴＭ交換機。
【請求項５】
請求項１、２または３記載のＡＴＭ交換機であって、
前記Ｎ個の入力回線対応部とＮ個の出力回線対応部は、１つの基板上に配置された回路により実現され、
前記Ｎ個の出力回線対応部が送出するセルは、前記基板上の配線もしくは前記回路内部の配線により、前記Ｎ個の入力回線対応部に伝送されることを特徴とするＡＴＭ交換機。
【請求項６】
複数の入力ポートおよび複数の出力ポートを有し、前記入力ポートに送られたセルに設定された装置内ヘッダに基づいて、前記セルを前記出力ポートより送出し、同報されるセルについては、前記セルを複数の前記出力ポートより送出するスイッチ部を備えた同報通信可能なＡＴＭ交換機に、設けられる同報処理用回線対応部において、
変換テーブルを有し、送られたセルに設定された論理チャネル情報に対応する前記変換テーブルの設定内容に従って、前記セルに対し、論理チャネル情報の変換と、装置内ヘッダの付加を行い、変換および付加を行ったセルを前記スイッチ部の入力ポートに送出するＮ個（Ｎは２以上の整数）の入力回線対応部と、
前記スイッチ部の出力ポートより送られたセルに対して、前記装置内ヘッダの除去を含む所定の送信処理を施し、送信処理を施したセルを、１対１に対応付けられた前記入力回線対応部に送るＮ個の出力回線対応部とを備えることを特徴とする同報処理用回線対応部。
【請求項７】
請求項６記載の同報処理用回線対応部であって、
前記Ｎ個の入力回線対応部とＮ個の出力回線対応部は、１つの基板上に配置された回路により実現され、
前記Ｎ個の出力回線対応部が送出するセルは、前記基板上の配線もしくは前記回路内部の配線により、前記Ｎ個の入力回線対応部に伝送されることを特徴とする同報処理用回線対応部。
【発明の詳細な説明】
【０００１】
【発明の属する技術分野】
本発明は、広帯域ＩＳＤＮ（Ｂｒｏａｄｂａｎｄ  Ｉｎｔｅｇｒａｔｅｄ  Ｓｅｒｖｉｃｅ  Ｄｉｇｉｔａｌ  Ｎｅｔｗｏｒｋ）で用いられるＡＴＭ交換機に関連するもので、特に、同報機能を実現する構成に関連するものである。
【０００２】
【従来の技術】
広帯域ＩＳＤＮのＡＴＭ交換機には、特開平２−９０８３４号公報『ＡＴＭ通話路装置及び回線終端装置』に示される図１３の構成を有するものが多くある。図１３で、入力回線で送られたセルは、入力回線対応部１の入力ヘッダ変換部３により、セル内の論理チャネル番号（ＶＰＩ（Ｖｉｒｔｕａｌ  Ｐａｔｈ  Ｉｄｅｎｔｉｆｉｅｒ）／ＶＣＩ（Ｖｉｒｔｕａｌ  Ｃｈａｎｎｅｌ  Ｉｄｅｎｔｉｆｉｅｒ）など）を変換され、スイッチ部６０により対応する出力回線対応部２に転送されて出力回線に送出される。入力ヘッダ変換部３は、予め設定のなされた変換テーブルの設定内容に応じて、論理チャネル番号の変換と転送先の出力回線対応部２を決定する。
【０００３】
一方、ＡＴＭ交換機において同一内容のセルを複数の着信先に転送する（同報する）ための構成が知られている。特許公告平５−６３０５９号公報『パケット同報通信方式』では、図１４に示す構成により同報通信を実現する。図１４で、同報スイッチ部６１は、入力されたセルを内部のメモリに一旦格納し、同報するセルについては複数回読み出して、それぞれ対応する複数の出力回線対応部８に転送する。転送されたセルは、出力回線対応部８の出力ヘッダ変換部４によりセル内の論理チャネル番号を変換された後、出力回線に送出される。出力ヘッダ変換部４は、入力ヘッダ変換部３と同様に変換テーブルを有し、それを用いて論理チャネル番号の変換を行う。
【０００４】
特開平５−１３６８１４号公報『ＡＴＭ網におけるセルコピー装置』では、図１５に示すセルコピー装置５により同報通信を実現する。セルコピー装置５は、入力回線対応部７に入力されたセルを複数複製し、複製した各セルの論理チャネル番号の変換などを行って、スイッチ部６０に出力する。スイッチ部６０は、入力された各セルを対応する出力回線対応部２に転送する。
【０００５】
なお、図１４および図１５の交換機では、同報されるセルを、互いに異なる論理チャネル番号の設定された複数のセルとして、同一出力回線に送出することはできない。このため、図１６に示す交換網を構成して、セル５６０を端末７３〜７６に同報する場合、まず、交換機７７が出力回線Ｌ０’，Ｌｍ’にそれぞれセル５６１，５６２を同報し、セル５６１に応じて交換機７８が端末７３，７４に、セル５６２に応じて交換機７９が端末７５，７６にそれぞれ同報するという動作が必要となる。
【０００６】
【発明が解決しようとする課題】
既存のＡＴＭ交換機には、同報機能を持たない図１３の構成の交換機が多く含まれるため、既存の交換機のハードウェア資産を有効に活用して、同報機能の追加を行えるようにすることが望まれている。特に、入力回線対応部と出力回線対応部は、それぞれ交換機の回線数分（図１３ではｎ個）必要であり、ハードウェア量が膨大となる。しかし、既存の交換機を用いて図１４の従来例を実現するには、既存のスイッチ部６０を同報スイッチ部６１に置き換える他、既存の出力回線対応部２を、ヘッダ変化部４を備えた出力回線対応部８に全て置き換えければならない。図１５の従来例の実現でも、既存の入力回線対応部１を、セルコピー装置５を備えた入力回線対応部７に全て置き換える必要がある。入力回線対応部と出力回線対応部は、同一基板に搭載されるのが一般的であり、入力回線対応部と出力回線対応部の片方だけの交換ができない場合が多い。この事を考慮すると、上記従来例の同報機能を実現する場合には、既存の交換機のハードウェアの大部分を置き換える（または、交換機そのものを置き換える）必要があり、ハードウェア資産を有効に活用することはできない。
【０００７】
また、図１４および図１５の従来例では、同報されるセルを、互いに異なる論理チャネル番号の設定された複数のセルとして、同一の出力回線に送出することができないため、交換網に含まれる全交換機に同報機能が必要となる。これは、同報機能を持たない交換機が存在する交換網の同報サービスを大きく制限する。
【０００８】
そこで、本発明は、同報機能を持たない既存の交換機のハードウェアを有効に活用して、ＡＴＭ交換機の同報機能を実現することを目的とする。さらに、同報されるセルを、互いに異なる論理チャネル番号の設定された複数のセルとして、出力回線に送出することにより同報を行うことを目的とする。
【０００９】
【課題を解決するための手段】
上記の課題を解決するため、本発明のＡＴＭ交換機は、複数の入力回線および複数の出力回線に接続される、同報通信の可能なＡＴＭ交換機であって、入力ポートに送られたセルに設定された装置内ヘッダに基づいて、前記セルを出力ポートより送出し、同報されるセルについては、前記セルを複数の出力ポートより送出するスイッチ部と、送られたセルに設定された論理チャネル情報に対応する内部の変換テーブルの設定内容に従って、前記セルに対し、論理チャネル情報の変換と、装置内ヘッダの付加を行い、変換および付加を行ったセルを、１対１に対応付けられた前記スイッチ部の入力ポートに送るＭ個以上の入力回線対応部と、１対１に対応付けられた前記スイッチ部の出力ポートより送られたセルに対して、前記装置内ヘッダの除去を含む所定の送信処理を施すＭ個以上の出力回線対応部とを備え、Ｎ個（Ｎは、２≦Ｎ＜Ｍを満たす整数）の前記出力回線対応部は、１対１に対応付けられたＮ個の前記入力回線対応部に前記送信処理を施したセルを送り、他の出力回線対応部は、前記送信処理を施したセルを前記出力回線に送り、他の入力回線対応部には、前記入力回線よりセルが送られることを特徴とする。
【００１０】
この発明によれば、例えば同報機能を持たないＡＴＭ交換機において、入力回線対応部と出力回線対応部をそのまま流用し、入力回線対応部と出力回線対応部の追加と、スイッチ部の置き換えを行うことで、同報機能を実現することが可能となる。すなわち、同報機能を持たない既存のＡＴＭ交換機のハードウェアを有効に活用して、同報機能を実現することができる。
【００１１】
また、本発明のＡＴＭ交換機は、前記入力回線より前記入力回線対応部に送られた、所定の論理チャネル情報の設定されたセルが、前記変換テーブルの設定に応じて、前記Ｎ個の出力回線対応部に送られた後、前記Ｎ個の入力回線対応部により、互いに異なる論理チャネル情報を設定された複数のセルとなって前記出力回線に送られることを特徴とする。
【００１２】
【発明の実施の形態】
以下で、本発明の実施形態を、図面を用いて説明する。
【００１３】
図１は、本発明の実施形態に係るＡＴＭ交換機の構成を示す図である。図１において、本ＡＴＭ交換機は、受信処理部４および入力ヘッダ変換部３を有する複数の入力回線対応部１（１０〜１ｎ）と、同報スイッチ部６１と、送信処理部２１を有する複数の出回線対応部２（２０〜２ｎ）と、以上の各部を制御する制御装置を備える。入回線対応部１ｎ−１と出回線対応部２ｎ−１、入力回線対応部１ｎと出力回線対応部２ｎは、別途回線によりそれぞれ折り返し接続され、同報処理用回線対応部６を構成する。他の入回線対応部１０〜１ｍの入力には、それぞれ加入者／中継網の入力回線Ｌ０〜Ｌｍが接続され、他の出回線対応部２０〜２ｍの出力には、それぞれ加入者／中継網の出力回線Ｌ０’〜Ｌｍ’が接続される。同報処理用回線対応部６は、１つの基板上に搭載された回路により実現され、同報スイッチ部６１も別の基板上の回路で実現される。これらの基板は、交換機本体に抜き差し可能に搭載されている。なお、同報処理用回線対応部６において折り返し接続する回線は、同報処理用回線対応部６の回路内部の配線や基板上の配線により実現してもよい。
【００１４】
図２に、本ＡＴＭ交換機が入力回線と出力回線で入出力するセルの構成を示し、図３に、本ＡＴＭ交換機の内部で使用されるセルの構成を示す。ＡＴＭ交換機が入出力する各セルは、着信先や通信経路を示す論理チャネル番号（ＶＰＩ／ＶＣＩなど）９１と、通信内容を示すデータ９２からなる。ＡＴＭ交換機の内部で使用される各セルは、変換後の論理チャネル番号９１’とデータ９２に、同報スイッチ部６１の切り換え情報である装置内ヘッダ９０を付加した構成を有する。
【００１５】
入力回線対応部１の入力ヘッダ変換部３は、ヘッダ処理部３１と変換テーブル３２を有し、入力回線もしくは内部回線で送られる図２に示す構成のセルを取り込む。ヘッダ処理部３１は、取り込んだセルの論理チャネル番号９１を元に、変換テーブル３２の設定内容を調べ、新たな論理チャネル番号９１’と、装置内ヘッダ９０を決定する。そして、決定した論理チャネル番号９１’と装置内ヘッダ９０を用いて、図３に示す構成のセルを生成し送出する。
【００１６】
図４に、入力回線対応部１０の変換テーブル３２の設定内容の一例を示す。図４に示すように、変換テーブル３２には、入力セルの論理チャネル番号と、変換後の論理チャネル番号と、転送先ポートを示す装置内ヘッダとが予め格納されている。図５に、入力回線対応部１ｎ−１の変換テーブル３２の設定内容の一例を示し、図６に、入力回線対応部１ｎの変換テーブル３２の設定内容の一例を示す。
【００１７】
同報スイッチ部６１は、各入力回線対応部１に１対１に接続される入力ポートと、出力回線対応部２に１対１に接続される出力ポートと、セルが格納されるメモリ６２と、ポート選択回路６３と、制御部６４を有する。制御部６４は、入力ポートを介してメモリ６２に格納されたセルを、そのセルの装置内ヘッダ９０に応じて、対応する１つ以上の出力ポートから送出する。複数の出力ポートから送出する場合、制御部６４は、メモリ６２から同じセルを繰り返し読み出し、読み出しの都度ポート選択回路６３を制御して出力ポートの切り換えを行う。
【００１８】
ところで、上記の入力回線対応部１と出力回線対応部２は共に、同報機能を持たない既存のＡＴＭ交換機のものと同等の機能を有する。このため、同報機能を持たない既存のＡＴＭ交換機の入力回線対応部１と出力回線対応部２をそのまま利用し、同報処理用回線対応部６（入力回線対応部１ｎ−１，１ｎと出力回線対応部２ｎ−１，２ｎ）の増設と、スイッチ部の置き換えを行うだけで、本ＡＴＭ交換機が実現される。なお、一般的なＡＴＭ交換機では、入力回線および出力回線間の交換処理に利用するポートの他に、特殊ポートや空きポートを設けている場合が多い。この特殊ポートや空きポートに同報処理用回線対応部６を割り当てることで、交換機の回線数を減らすことなく同報機能を追加することが可能になる。また、同報処理用回線対応部６も、従来の回線対応部１，２により構成されるため、実現が容易である。
【００１９】
次に、図７を用いて、２つの出力回線で各１セルの同報を行う場合の本ＡＴＭ交換機の動作を説明する。
【００２０】
入力回線Ｌ０より入力回線対応部１０に送られた論理チャネル番号＝０１０のセル５２０は、受信処理部４で所定の受信処理を施された後、入力ヘッダ変換部３に送られる。入力ヘッダ変換部３のヘッダ処理部３１は、送られたセルの論理チャネル番号＝０１０で変換テーブル３２（図４）を調べ、新たな論理チャネル番号＝１１０と、装置内ヘッダ＝ｎ−１，ｎを得る。そして、それら情報からセル５２１を生成して同報スイッチ部６１に送る。このセル５２１は同報スイッチ部６１のメモリ６２に一旦格納され、装置内ヘッダ＝ｎ−１，ｎに応じて、出力回線対応部２ｎ−１，２ｎに送られる。
【００２１】
出力回線対応部２ｎ−１，２ｎは、送られたセル５２１に送信処理部２１で所定の送信処理を施した後、内部回線を介してそれぞれ入力回線対応部１ｎ−１，１ｎに送る。入力回線対応部１ｎ−１は、セルの論理チャネル番号＝１１０で変換テーブル３２（図５）を調べ、新たな論理チャネル番号＝２０７と、装置内ヘッダ＝０を得る。そして、それら情報からセル５２３を生成し送出する。同様に、入力回線対応部１ｎは、セルの論理チャネル番号＝１１０で変換テーブル３２（図６）を調べ、変換後の論理チャネル番号＝２０８と、装置内ヘッダ＝ｍを得る。そして、それら情報からセル５２４を生成し送出する。これらセル５２３，５２４は、同報スイッチ部６１によりそれぞれ出力回線対応部２０，２ｍに送られる。そして、所定の送信処理によりセル５１３，５１２となってそれぞれ出力回線Ｌ０’，Ｌｍ’に送出される。以上のようにして、セル５２０は２つの出力回線で同報される。
【００２２】
次に、図８を用いて、１つの出力回線で２つのセルの同報を行う場合の動作を説明する。
【００２３】
入力回線Ｌ０より入力回線対応部１０に送られた論理チャネル番号＝０１１のセル５５０は、所定の受信処理を施された後、入力ヘッダ変換部３に送られる。入力ヘッダ変換部３０のヘッダ処理部３１は、論理チャネル番号＝０１１で変換テーブル３２（図４）を調べ、新たな論理チャネル番号＝１１１と、装置内ヘッダ＝ｎ−１，ｎを得る。そして、それら情報からセル５５１を生成して、同報スイッチ部６１に送る。このセル５５１は同報スイッチ部６１により、出力回線対応部２ｎ−１，２ｎに送られる。
【００２４】
出力回線対応部２ｎ−１，２ｎは、送られたセルに所定の送信処理を施した後、内部回線を介してそれぞれ入力回線対応部１ｎ−１，ｎに送る。入力回線対応部１ｎ−１は、セルの論理チャネル番号＝１１１で変換テーブル３２（図５）を調べ、変換後の論理チャネル番号＝２０７と、装置内ヘッダ＝０を得る。そして、それら情報からセル５２３を生成し送出する。同様に、入力回線対応部１ｎは、セルの論理チャネル番号＝１１１で変換テーブル３２（図６）を調べ、変換後の論理チャネル番号＝２０９と、装置内ヘッダ＝０を得る。そして、それら情報からセル５５４を生成し送出する。これらセル５２３，５５４は共に、同報スイッチ部６１により出力回線対応部２０に送られる。そして、所定の送信処理によりセル５１３，５５５となって出力回線Ｌ０’に送出される。以上のようにして、セル５５０は１つの出力回線で同報される。
【００２５】
次に、図９〜図１１を用いて、２つの出力回線で各２つのセルの同報を行う場合の動作を説明する。
【００２６】
図９で、入力回線Ｌ０より入力回線対応部１０に送られた論理チャネル番号＝０１５のセル５３０は、所定の受信処理を施された後、入力ヘッダ変換部３０に送られる。入力ヘッダ変換部３０のヘッダ処理部３１は、論理チャネル番号＝０１５で変換テーブル３２（図４）を調べ、変換後の論理チャネル番号＝１１５と、装置内ヘッダ＝ｎ−１，ｎを得る。そして、得た情報からセル５３１を生成して、同報スイッチ部６１に送る。このセル５３１は同報スイッチ部６１により、出力回線対応部２ｎ−１，２ｎに送られる。
【００２７】
出力回線対応部２ｎ−１，２ｎは、送られたセルに所定の送信処理を施した後、内部回線を介してそれぞれ入力回線対応部１ｎ−１，ｎに送る。入力回線対応部１ｎ−１は、送られたセル５３２の論理チャネル番号＝１１５で変換テーブル３２（図５）を調べ、変換後の論理チャネル番号＝１２０と、装置内ヘッダ＝ｎ，ｎ−１を得る。そして、得た情報からセル５３３を生成し送出する。同様に、入力回線対応部１ｎは、変換テーブル３２（図６）を調べ、変換後の論理チャネル番号＝１２１と、装置内ヘッダ＝ｎ，ｎ−１を得る。そして、得た情報からセル５３５を生成し送出する。
【００２８】
図１０で、入力回線対応部１ｎ−１から送出されたセル５３３は、同報スイッチ部６１により出力回線対応部２ｎ−１，２ｎに送られ、内部回線を介して再度入力回線対応部１ｎ−１，１ｎに送られる。入力回線対応部１ｎ−１は、送られたセルの論理チャネル番号＝１２０で変換テーブル３２（図５）を調べ、変換後の論理チャネル番号＝２０７と、装置内ヘッダ＝０を得る。そして、得た情報からセル５２３を生成し送出する。同様に、入力回線対応部１ｎは、送られたセルの論理チャネル番号＝１２０で変換テーブル３２（図６）を調べ、変換後の論理チャネル番号＝２０８と、装置内ヘッダ＝ｍを得る。そして、得た情報からセル５２４を生成し送出する。入力回線対応部１ｎ−１，１ｎより送出されたセル５２３，５２４は、同報スイッチ部６１によりそれぞれ出力回線対応部２０，２ｍに送られ、所定の送信処理によりセル５１３，５１２となって出力回線Ｌ０’，Ｌｍ’に送出される。
【００２９】
同様に、図１１で、入力回線対応部１ｎから送出されたセル５３５も、同報スイッチ部６１により出力回線対応部２ｎ−１，２ｎに送られ、内部回線を介して再度入力回線対応部１ｎ−１，１ｎに送られる。入力回線対応部１ｎ−１は、送られたセルの論理チャネル番号＝１２１で変換テーブル３２（図５）を調べ、変換後の論理チャネル番号＝２２５と、装置内ヘッダ＝０を得る。そして、得た情報からセル５３７を生成し送出する。同様に、入力回線対応部１ｎは、送られたセルの論理チャネル番号＝１２１で変換テーブル３２（図６）を調べ、変換後の論理チャネル番号＝２２６と、装置内ヘッダ＝ｍを得る。そして、得た情報からセル５３８を生成し送出する。これらセル５３７，５３８は、同報スイッチ部６１によりそれぞれ出力回線対応部２０，２ｍに送られ、所定の送信処理によりセル５３９，５４０となって出力回線Ｌ０’，Ｌｍ’に送出される。以上のようにして、セル５３０は、２つの出力回線で各２つ同報される。
【００３０】
以上の動作により本ＡＴＭ交換機は、同報先の端末との間に、同報機能を持たない交換機が存在する場合にも同報を行うことができる。このことを、図１２に示すＡＴＭ交換網の構成例を用いて説明する。
【００３１】
図１２で、上記のＡＴＭ交換機である交換機７０は、同報機能を持たない交換機である交換機７１，７２を介して端末７３，７４，７５，７６と接続されている。端末７３〜７６へ同報される上記のセル５３０を受信した交換機７０は、図９〜図１１の動作により、出力回線Ｌ０’にセル５１３，５３９を送出し、出力回線Ｌｍ’にセル５１２，５４０を送出する。出力回線Ｌ０’と接続された交換機７１は、送られたセル５１３の論理チャネル番号の変換を行って端末７３の回線に送出する。セル５３９は論理チャネル番号を変換した後、端末７４の回線に送出する。出力回線Ｌｍ’と接続された交換機７２も、送られたセル５１２，５４０の論理チャネル番号を変換してそれぞれ端末７５，７６に転送する。このようにして、セル５３０は、同報機能を持たない交換機７１，７２を介して端末７３〜７６に同報される。
【００３２】
なお、本ＡＴＭ交換機は、変換テーブル３２の設定により、上記の動作例の同報以外にも、１つの出力回線で３つ以上のセルを同報したり、３つ以上の出力回線で同報を行うような多様な同報サービスを提供できる。また、以上では、入力回線対応部１と出力回線対応部２を２組用いて同報処理用回線対応部６を構成しているが、入力回線対応部１と出力回線対応部２を３組以上としてもよい。この入力回線対応部１と出力回線対応部２の組を増やすことで、上記のＡＴＭ交換機は、より高速に複数のセルの生成と同報を行えるようになる。
【００３３】
以上で説明したように、本実施形態のＡＴＭ交換機は、既存の同報機能を持たない交換機の入力回線対応部１と出力回線対応部２をそのまま利用でき、入力回線対応部１と出力回線対応部２の増設とスイッチ部の置き換えだけで同報機能を実現できるため、既存（または既設）の交換機のハードウェア資産を有効に活用することができる。
【００３４】
さらに、本実施形態のＡＴＭ交換機は、同報されるセルを、互いに異なる論理チャネル番号の設定された複数のセルとして、出力回線に送出することができる。これにより、同報機能を持たない交換機が通信途中に存在する場合にも、任意の着信先に同報を行うことができる。
【００３５】
【発明の効果】
本発明によれば、同報機能を持たない既存の交換機のハードウェアを有効に活用して、ＡＴＭ交換機の同報機能を実現することが可能となる。さらに、同報されるセルを、互いに異なる論理チャネル番号の設定された複数のセルとして、出力回線に送出することが可能となる。
【図面の簡単な説明】
【図１】本発明の実施形態に係るＡＴＭ交換機の構成を示す図である。
【図２】本ＡＴＭ交換機に入出力するセルの構成を示す図である。
【図３】本ＡＴＭ交換機の内部で使用されるセルの構成を示す図である。
【図４】入力回線対応部１０の変換テーブルの設定例を示す図である。
【図５】入力回線対応部１ｎ−１の変換テーブルの設定例を示す図である。
【図６】入力回線対応部１ｎの変換テーブルの設定例を示す図である。
【図７】２回線に各１セルの同報を行う場合のセルの流れを示す図である。
【図８】１回線に、異なるチャネル番号を有する２セルの同報を行う場合のセルの流れを示す図である。
【図９】２回線に、異なるチャネル番号を有する各２セルの同報を行う場合のセルの流れ（前半）を示す図である。
【図１０】図９のセル５３３によるセルの流れ（後半）を示す図である。
【図１１】図９のセル５３５によるセルの流れ（後半）を示す図である。
【図１２】本ＡＴＭ交換機が、同報機能を持たない交換機を介して同報を行えることを示すシステム図である。
【図１３】同報機能を持たない従来のＡＴＭ交換機の構成例を示す図。
【図１４】出力回線対応部とスイッチ部において同報機能を実現した従来例を示す図。
【図１５】入力回線対応部において同報機能を実現した従来例を示す図。
【図１６】複数の交換機を介して同報が行われる場合の従来例を示す図。
【符号の説明】
Ｌ０〜Ｌｍ，Ｌｎ−１，Ｌｎ・・・入力回線
Ｌ０’〜Ｌｍ’，Ｌｎ−１’，Ｌｎ’・・・出力回線
１０〜１ｍ，１ｎ−１，１ｎ・・・入力回線対応部
２０〜２ｍ，２ｎ−１，２ｎ・・・出力回線対応部
３・・・入力ヘッダ変換部
３２・・・変換テーブル
４・・・受信処理部
６１・・・同報スイッチ部
２１・・・送信処理部
７０・・・本実施形態のＡＴＭ交換機
７１，７２・・・同報機能を持たないＡＴＭ交換機
７３，７４，７５，７６・・・端末
９０・・・装置内ヘッダ
９１，９１’・・・論理チャネル番号
９２・・・データ
６００，６１０，６２０・・・変換テーブル３２の設定情報
【図１】
0003599482.tif 000002
【図２】
0003599482.tif 000003
【図３】
0003599482.tif 000004
【図４】
0003599482.tif 000005
【図５】
0003599482.tif 000006
【図６】
0003599482.tif 000007
【図７】
0003599482.tif 000008
【図８】
0003599482.tif 000009
【図９】
0003599482.tif 000010
【図１０】
0003599482.tif 000011
【図１１】
0003599482.tif 000012
【図１２】
0003599482.tif 000013
【図１３】
0003599482.tif 000014
【図１４】
0003599482.tif 000015
【図１５】
0003599482.tif 000016
【図１６】
0003599482.tif 000017